(57)【要約】【課題】バッジを容易に着脱自在に保持させることができるとともに他の物品に損傷を与えることなく取り付けるができるバッジホルダを提供する。【解決手段】バッジホルダ１００は、ホルダ本体１０１を備えている。ホルダ本体１０１は、外縁覆い部１１０および裏面覆い部１３０を備えている。外縁覆い部１１０は、外形が環状に形成されるとともに内側部分に缶バッジ９０の外縁部が嵌合する外縁嵌合部１１１が形成されている。ホルダ本体１０１の内側における外縁覆い部１１０の奥側には、延長部１２０が形成されている。延長部１２０は、外縁覆い部１１０の端部から裏面覆い部１３０に向かって張り出して形成されている。裏面覆い部１３０は、環状に形成された外縁覆い部１１０の一方の端面側を延長部１２０を介して覆う円形板状に形成されている。外縁覆い部１１０の外周部には、連結具１５０を備えた連結部１４０が形成されている。【選択図】  図１
2016064005.tif 000002
【特許請求の範囲】
【請求項１】
バッジを着脱自在に保持するホルダ本体を備えたバッジホルダであって、
前記ホルダ本体は、
バッジの裏面を覆う大きさに形成された裏面覆い部と、
前記裏面覆い部の外縁部上に柔軟な材料で環状に形成されて前記バッジの外縁部を挟んだ状態で覆う外縁覆い部と、
前記ホルダ本体を他の物品に繋ぐための連結部とを備えることを特徴とするバッジホルダ。
【請求項２】
請求項１に記載したバッジホルダにおいて、
前記ホルダ本体は、
前記裏面覆い部が柔軟な材料で構成されていることを特徴とするバッジホルダ。
【請求項３】
請求項１または請求項２に記載したバッジホルダにおいて、
前記ホルダ本体は、
前記外縁覆い部と前記裏面覆い部との間に環状の延長部を備えることを特徴とするバッジホルダ。
【請求項４】
請求項１ないし請求項３のうちのいずれか１つに記載したバッジホルダにおいて、
前記ホルダ本体は、
前記外縁覆い部の外表面と前記裏面覆い部の外周面との境界部分に同境界部分に沿って曲面形状を有して形成されていることを特徴とするバッジホルダ。
【請求項５】
請求項１ないし請求項４のうちのいずれか１つに記載したバッジホルダにおいて、
前記連結部は、
前記ホルダ本体の外周部に複数設けられていることを特徴とするバッジホルダ。
【発明の詳細な説明】
【技術分野】
【０００１】
本発明は、バッジを着脱自在に保持した状態で各種物品に取り付けることができるバッジホルダに関する。
【背景技術】
【０００２】
従来から、バッジを保持するバッジホルダがある。例えば、下記特許文献１には、バッジを保持するバッジホルダ同士を互いに連結して球体を形成することが可能なバッジホルダが開示されている。また、下記特許文献２には、コイン状の円形装飾体の外縁部を保持する金属製と思われるリング部を有するコイン状装飾体ホルダが開示されている。
【先行技術文献】
【特許文献】
【０００３】
【特許文献１】特開２００９−１１２６７９号公報
【特許文献２】特開平０８−３３６４５４号公報
【０００４】
しかしながら、上記特許文献１に記載されたバッジホルダにおいては、複数のバッジを一体的な置物として利用する場合に用いるものであり、バッジを他の物品に装着することを想定しておらず、バッジを他の物品に装着するというバッジ本来の利用ができないという問題がある。また、上記特許文献２に記載されたコイン状装飾体ホルダにおいては、リング部に形成された爪を折り曲げてコイン状装飾体を保持する構成のため、コイン状装飾体を保持させ難いとともに一旦保持させたコイン状装飾体の向きの変更や付け替えが極めて困難であるという問題がある。また、上記特許文献２に記載されたコイン状装飾体ホルダにおいては、コイン状装飾体の裏面に設けられた針などの留め具が露出した状態で保持されるため、コイン状装飾体ホルダを装着した他の物品に損傷を与える恐れがあった。
【発明の概要】
【０００５】
本発明は上記問題に対処するためなされたもので、その目的は、バッジを容易に着脱自在に保持させることができるとともに他の物品に損傷を与えることなく取り付けるができるバッジホルダを提供することにある。
【０００６】
上記目的を達成するため、本発明の特徴は、バッジを着脱自在に保持するホルダ本体を備えたバッジホルダであって、ホルダ本体は、バッジの裏面を覆う大きさに形成された裏面覆い部と、裏面覆い部の外縁部上に柔軟な材料で環状に形成されてバッジの外縁部を挟んだ状態で覆う外縁覆い部と、ホルダ本体を他の物品に繋ぐための連結部とを備えることにある。ここで、バッジは、絵柄が形成された板状体や立体的形状で形成されたバッジ本体の裏面にバッジを他の物品に着脱自在に取り付けるための針やクリップなどからなる留め具が設けられて構成されている。したがって、バッジには、例えば、板状体に留め具も設けられた単純なバッジの他に、缶バッジ、コイン、メダル、名札およびブローチなどが含まれる。また、柔軟な材料とは、人手で弾性変形させることができる材料であり、例えば、樹脂材のほかにラバーゴムやシリコンゴムなどゴム材などがある。
【０００７】
このように構成した本発明の特徴によれば、バッジホルダは、バッジを着脱自在に保持するホルダ本体が柔軟な材料で構成された外縁覆い部とバッジの裏面を覆う裏面覆い部とで構成されているため、外縁覆い部を弾性変形させることによりバッジを容易に着脱自在に保持させることができるとともに、留め具を有するバッジの裏面が裏面覆い部で覆われて他の物品に損傷を与えることを防止することができる。
【０００８】
また、本発明の他の特徴は、前記バッジホルダにおいて、ホルダ本体は、裏面覆い部が柔軟な材料で構成されていることにある。この場合、柔軟な材料とは、前記と同様に、人手で容易に弾性変形させることができる材料であり、例えば、樹脂材（例えば、ポリカーボネート材）のほかにラバーゴムやシリコンゴムなどゴム材などがある。なお、ホルダ本体を樹脂材（例えば、ポリカーボネート材）で構成した場合には、ホルダ本体を種々の色で構成できるほか、透明に構成することもできる。
【０００９】
このように構成した本発明の他の特徴によれば、バッジホルダは、裏面覆い部が柔軟な材料で構成されているため、ホルダ本体の弾性変形量を拡大することができバッジの着脱作業がより容易になるとともに、留め具の形状に応じた裏面覆い部の弾性変形によって形状の異なる留め具を有したバッジ間においても１つのホルダ本体を共通して用いることができる。
【００１０】
また、本発明の他の特徴は、前記バッジホルダにおいて、ホルダ本体は、外縁覆い部と裏面覆い部との間に環状の延長部を備えることにある。
【００１１】
このように構成した本発明の他の特徴によれば、バッジホルダは、ホルダ本体が外縁覆い部の端部と裏面覆い部との間に筒状の延長部を備えているため、ホルダ本体にバッジを保持させた際に裏面覆い部が留め具によって張り出し変形する量を抑えてホルダ本体の美観を維持することができる。
【００１２】
また、本発明の他の特徴は、前記バッジホルダにおいて、ホルダ本体は、外縁覆い部の外周面と裏面覆い部の外周面との境界部分に同境界部分に沿って曲面形状を有して構成されていることにある。
【００１３】
このように構成した本発明の他の特徴によれば、バッジホルダは、ホルダ本体における外縁覆い部の外周面と裏面覆い部の外周面との境界部分が曲面形状を有して構成されているため、この境界部分を直角で構成した場合に比べてバッジホルダを他の物品に取り付けた際における他の物品を汚損することを抑制することができるとともに薄肉化によりホルダ本体を弾性変形させ易くすることができる。なお、この場合、ホルダ本体における外縁覆い部の外周面と裏面覆い部の外周面との境界部分が曲面形状を有するとは、外縁覆い部と裏面覆い部とが曲面形状を介して繋がっている場合の他、外縁覆い部および裏面覆い部一方が曲面形状に形成されている場合も含むものである。
【００１４】
また、本発明の他の特徴は、前記バッジホルダにおいて、連結部は、ホルダ本体の外周部に複数設けられていることにある。
【００１５】
このように構成した本発明の他の特徴によれば、バッジホルダは、連結部がホルダ本体の外周部に複数設けられているため、バッジホルダを他の物品に対して種々の向きで取り付けることができるとともに複数のバッジホルダ同士を互いに連結して他の物品への取り付け形態のバリエーションを拡大することができる。また、複数のバッジホルダを互いに連結する場合、各ホルダ本体の色を同一の色や柄で構成してもよいが、互いに異なる色や柄で構成することによって装飾感が増して使用の楽しみを向上させることができる。
【図面の簡単な説明】
【００１６】
【図１】本発明の一実施形態に係るバッジホルダの外観構成の概略を示す斜視図である。
【図２】図１に示すバッジホルダに缶バッジを保持させた使用状態を示す斜視図である。
【図３】図３（ａ）〜（ｄ）は、図１に示すバッジホルダの外観構成の概略を示しており、（ａ）はバッジホルダの正面図であり、（ｂ）は、バッジホルダの左側面図であり、（ｃ）はバッジホルダの平面図であり、（ｄ）はバッジホルダの背面図である。
【図４】図３（ａ）に示す４−４線から見たホルダ本体の断面図である。
【図５】図４に示すホルダ本体にバッジホルダを保持させた状態を示す断面図である。
【図６】本発明の変形例に係るホルダ本体の断面図である。
【図７】図６に示すホルダ本体にバッジホルダを保持させた状態を示す断面図である。
【図８】（Ａ），（Ｂ）は本発明の他の変形例に係るバッジホルダを示しており、（Ａ）はホルダ本体に２つの連結部を対向配置した状態を示す平面図であり、（Ｂ）はホルダ本体に３つの連結部を均等配置した状態を示す平面図である。
【図９】本発明の他の変形例に係るバッジホルダの平面図である。
【図１０】（ａ），（ｂ）は本発明の他の変形例に係るバッジホルダを示しており、（ａ）は左側面図であり、（ｂ）バッジホルダの背面図である。
【図１１】（ａ），（ｂ）は本発明の他の変形例に係るバッジホルダを示しており、（ａ）は左側面図であり、（ｂ）バッジホルダの背面図である。
【図１２】缶バッチの外観構成の概略を缶バッチの裏面側から見て示す斜視図である。
【発明を実施するための形態】
【００１７】
以下、本発明に係るバッジホルダの一実施形態について図面を参照しながら説明する。図１は、本発明に係るバッジホルダ１００の外観構成の概略を示す斜視図である。また、図２は、図１に示すバッジホルダ１００に缶バッジ９０を保持させた使用状態を示す斜視図である。また、図３（ａ）〜（ｄ）は、図１に示すバッジホルダ１００の外観構成の概略を示しており、（ａ）はバッジホルダ１００の正面図であり、（ｂ）は、バッジホルダ１００の左側面図であり、（ｃ）はバッジホルダ１００の平面図であり、（ｄ）はバッジホルダ１００の背面図である。また、図４は、図３（ａ）に示す４−４線から見たホルダ本体１０１の断面図である。
【００１８】
このバッジホルダ１００は、缶バッジ９０を着脱自在に保持した状態で他の物品（以下、「被装着体」）に着脱自在に取り付けることができるものである。ここで、缶バッジ９０は、図２および図１２に示すように、缶バッジ９０の表面を構成する円盤状のシェル９１と缶バッジ９０の裏面を構成するとともに缶バッジ９０を被装着体に着脱自在に取り付けるための留め具９３を備えた円盤状のバックパーツ９２とをカシメ加工（塑性加工）により一体成形することにより全体として円盤状に形成されている。なお、図２においては、缶バッジ９０のシェル９１の表面に３つの円が重なり合う図柄Ｚが描かれている。
【００１９】
（バッジホルダ１００の構成）
バッジホルダ１００は、ホルダ本体１０１を備えている。ホルダ本体１０１は、缶バッジ９０の表面の外縁部から裏面に掛けての部分を覆うことにより缶バッジ９０を保持する部品であり、人手によって弾性変形させることができる材料を缶バッジ９０を覆うことができる大きさに形成して構成されている。本実施形態においては、ホルダ本体１０１は、シリコンゴムによって構成されている。このホルダ本体１０１は、主として、外縁覆い部１１０、延長部１２０、裏面覆い部１３０および連結部１４０によって構成されている。
【００２０】
外縁覆い部１１０は、缶バッジ９０の外縁部、すなわち、缶バッジ９０の表面の外縁部、缶バッジ９０の側面部および缶バッジ９０裏面の外縁部を覆う部分であり、外形が環状に形成されるとともに内側部分に外縁嵌合部１１１が形成されて構成されている。外側嵌合部１１１は、缶バッジ９０の外縁部が着脱自在に嵌合する部分であり、缶バッジ９０の外縁部に対応する凹状に形状されている。
【００２１】
より具体的には、外縁嵌合部１１１は、図５に示すように、缶バッジ９０の側面部に対向する最奥部１１１ａの内周部が缶バッジ９０の外径と同じ内径に形成されるとともに、缶バッジ９０の表裏面の各外縁部にそれぞれ対向する挟持部１１１ｂ，１１１ｃの端面における内径が缶バッジ９０の裏面の外周部側に凸状に形成された隆起部９４の外周部と同じ内径に形成されている。また、外縁嵌合部１１１における挟持部１１１ｂと挟持部１１１ｃとの間隔は、缶バッジ９０の表裏面における外縁部の厚さと同じ長さに形成されている。
【００２２】
なお、外縁嵌合部１１１の形状は、缶バッジ９０の外縁部を着脱自在に嵌合させることができればよく、必ずしも缶バッジ９０の外縁部と同じ形状や寸法である必要はない。すなわち、外縁嵌合部１１１は、缶バッジ９０の外縁部の形状よりも大きな形状に形成してもよいし小さな形状に形成してもよい。
【００２３】
ホルダ本体１０１の内側における外縁覆い部１１０の奥側には、延長部１２０を介して裏面覆い部１３０が形成されている。延長部１２０は、缶バッジ９０の留め具９３の一部または全部を収容する空間を形成するための環状の部分であり、外縁覆い部１１０の端部から裏面覆い部１３０に向かって張り出して形成されている。この延長部１２０は、外縁覆い部１１０の端部から張り出して形成されていればよいが、缶バッジ９０の留め具９２が缶バッジ９０の裏面の外縁部表面（隆起部９４の表面）からの張り出し量と同一または同張り出し量に近い量だけ張り出して形成するとよい。本実施形態においては、延長部１２０は、缶バッジ９０の留め具９２が缶バッジ９０の裏面の隆起部９４の表面からの張り出し量よりも若干少ない張り出し量（長さ）の筒状に形成されている。
【００２４】
裏面覆い部１３０は、缶バッジ９０の裏面を覆う部分であり、環状に形成された外縁覆い部１１０の一方の端面側を前記延長部１２０を介して覆う円形板状に形成されている。より具体的には、裏面覆い部１３０は、裏面中央部１３１が円形の平面状に形成されるとともに、この裏面中央部１３１の外側部分、換言すれば、裏面覆い部１３０の外縁部分である裏面外縁部１３２が外縁覆い部１１０側に向かって湾曲した曲面に形成されている。すなわち、裏面覆い部１３０は、外縁覆い部１１０に対して裏面中央部１３１が張り出したカップ状に形状に形成されている。
【００２５】
この場合、裏面中央部１３１の外縁覆い部１１０からの張出し量、すなわち、延長部１２０と外縁部１３２との張り出し量の合算は、缶バッジ９０の留め具９２が缶バッジ９０の裏面の外縁部表面（隆起部９４の表面）からの張り出し量と同一または同張り出し量に近い量に設定される。本実施形態においては、裏面中央部１３１の外縁覆い部１１０からの張出し量（延長部１２０と裏面外縁部１３２との張り出し量の合算）は、缶バッジ９０の留め具９２が缶バッジ９０の裏面の外縁部表面（隆起部９４の表面）からの張り出し量と同一に設定される。
【００２６】
また、裏面覆い部１３０の外表面における外縁覆い部１１０側の外縁部は曲面状に形成されている。これにより、ホルダ本体１０１の外表面における裏面覆い部１３０と外縁覆い部１１０との境界部分は、裏面覆い部１３０側に沿って丸みを帯びた曲面形状を含んで構成される。
【００２７】
また、外縁覆い部１１０の外表面には、連結部１４０が形成されている。連結部１４０は、ホルダ本体１０１を被装着体に取り付けるための連結具１５０が取り付けられる部分であり、貫通孔を有する板状体が外縁覆い部１１０の外表面から径方向外側に張り出して形成されている。連結具１５０は、ホルダ本体１０１を被装着体や他のバッジホルダ１００に対して着脱自在に連結するための部品である。この連結具１５０は、例えば、紐、鎖、リング体、金具、フック、イヤホンジャック（携帯端末装置の外部接続端子に抜き差し可能なピン体）を単体で、またはこれらを組み合わせて構成されている。本実施形態においては、連結具１５０は、金属線をらせん状に巻き回したリング状の金具で構成されている。なお、図３、図８（Ａ），（Ｂ）、図９においては、連結具１５０の図示を省略している。
【００２８】
このホルダ本体１０１は、図示しない金型内に流動性の材料を流し込んで成形される。すなわち、ホルダ本体１０１は、外縁覆い部１１０、延長部１２０、裏面覆い部１３０および連結部１４０がそれぞれ単一の材料で一体的に成形される。
【００２９】
（バッジホルダ１０１の作動）
次に、上記のように構成したバッジホルダ１００の作動について説明する。まず、バッジホルダ１００の使用者は、バッジホルダ１００と缶バッジ９０とをそれぞれ用意する。次に、使用者は、缶バッジ９０をバッジホルダ１００に保持させる。具体的には、使用者は、缶バッジ９０における裏面をホルダ本体１０１内の裏面覆い部１３０に向けた状態で缶バッジ９０の外縁部をホルダ本体１０１内の外縁覆い部１１０内に挿し込む。この場合、使用者は、ホルダ本体１０１全体が柔軟な材料で構成されているため、ホルダ本体１０１を容易に弾性変形させて缶バッジ９０をホルダ本体１０１内に挿入することができる。
【００３０】
これにより、缶バッジ９０は、外縁部が外縁嵌合部１１１に嵌合するとともに留め具９３が延長部１２０および裏面外縁部１３２によって形成された空間内に位置して缶バッジ９０の表面における外縁部よりも内側部分が露出した状態でホルダ本体１０１に保持される（図２参照）。この場合、缶バッジ９０は、外縁覆い部１１０の外縁嵌合部１１１が缶バッジ９０の外縁部を保持するとともに外縁嵌合部１１１における挟持部１１１ｃおよび延長部１２０が缶バッジ９０における隆起部９４と接触しているため、ホルダ本体１０１内において安定的に保持される。また、ホルダ本体１０１は、延長部１２０および裏面外縁部１３２によって形成された空間内に缶バッジ９０の留め具９３が位置するため、裏面覆い部１３０が外側に膨らむことなく美観を維持した状態で缶バッジ９０を保持することができる。
【００３１】
次に、使用者は、缶バッジ９０を保持したバッジホルダ１００を被装着体に取り付ける。具体的には、使用者は、ホルダ本体１０１の連結部１４０に設けられた連結具１５０を用いてホルダ本体１０１を被装着体に取り付ける。この場合、被装着体としては、例えば、カバン、被服、携帯端末装置（携帯電話、スマートフォンおよびタブレット型端末装置など）、車両（自転車、二輪自動車およびバギー車）および家具（机やベッドなど）などがある。これにより、使用者は、缶バッジ９０を缶バッジ９０の留め具９３を用いることなくバッジホルダ１００を介して被装着体に取り付けることができる。すなわち、バッジホルダ１００は、缶バッジ９０における留め具３によって被装着物に孔などの損傷を与えることなく缶バッジ９０を取り付けることができる。そして、このような被装着体への装着状態においてもホルダ本体１０１は、前記と同様に缶バッジ９０を安定的に保持する。
【００３２】
また、この場合、ホルダ本体１０１は、裏面覆い部１３０によって缶バッジ９０の裏面が覆われているため、留め具９３による被装着体への汚損が防止される。また、ホルダ本体１０１は、裏面覆い部１３０と外縁覆い部１１０との境界部分から裏面中央部１３１に掛けて曲面で構成されているため、被装着体表面への接触、擦れ衝突などによる汚損を抑制することができる。
【００３３】
次に、ホルダ本体１０１内から缶バッジ９０を取り出す場合には、使用者は、缶バッジ９０に対してホルダ本体１０１における外縁覆い部１１０を捲るように弾性変形させた後、缶バッジ９０をホルダ本体１０１内から抜き取る。これにより、使用者は、缶バッジ９０をホルダ本体１０１内から取り外すことができる。また、使用者は、取り外した缶バッジ９０またはこれとは別の缶バッジ９０を再度ホルダ本体１０１に取り付けることもできる。
【００３４】
上記作動説明からも理解できるように、上記実施形態によれば、バッジホルダ１００は、缶バッジ９０を着脱自在に保持するホルダ本体１０１が柔軟な材料で構成された外縁覆い部１１０と缶バッジ９０の裏面を覆う裏面覆い部１３０とで構成されているため、外縁覆い部１１０を弾性変形させることにより缶バッジ９０を容易に着脱自在に保持させることができるとともに、留め具９３を有する缶バッジ９０の裏面が裏面覆い部１３０で覆われて被装着体に損傷を与えることを防止することができる。
【００３５】
さらに、本発明の実施にあたっては、上記実施形態に限定されるものではなく、本発明の目的を逸脱しない限りにおいて種々の変更が可能である。なお、下記各変形例の説明に使用する図面においては、上記実施形態と同様の構成部分または対応する構成部分については同じ符号を付して、その説明を省略する。
【００３６】
例えば、上記実施形態においては、ホルダ本体１０１は、延長部１２０を備えて構成した。しかし、ホルダ本体１０１は、延長部１２０を省略して構成することもできる。例えば、ホルダ本体１０１は、図６に示すように、外縁覆い部１１０に隣接して裏面覆い部１３０を形成して構成することもできる。この場合、裏面覆い部１３０は、人手によって弾性変形する材料で構成される。これにより、ホルダ本体１０１は、図７に示すように、裏面覆い部１３０が缶バッジ９０の留め具９３によって外側に膨らんで弾性変形することによって缶バッジ９０を保持する。
【００３７】
また、上記実施形態においては、ホルダ本体１０１は、裏面覆い部１３０を人手によって弾性変形可能な材料でカップ状に形成した。しかし、裏面覆い部１３０は、弾性変形し難い剛性のある材料、例えば、ＡＢＳ樹脂やアクリル樹脂、金属材、布材、木材またはセラミック材で構成することもできる。すなわち、ホルダ本体１０１は、少なくとも、外縁覆い部１１０が人手によって弾性変形させることができる材料で構成されていればよい。また、裏面覆い部１３０は、カップ形状以外の形状、例えば、図６に示すように、平坦な板状に形成することもできる。
【００３８】
また、上記実施形態においては、ホルダ本体１０１は、外縁覆い部１１０の外表面に連結部１４０を１つ設けて構成した。しかし、連結部１４０は、外縁覆い部１１０や裏面覆い部１３０などのホルダ本体１０１の外表面に少なくとも１つ設けられていればよい。したがって、ホルダ本体１０１は、例えば、図８（Ａ），（Ｂ）にそれぞれ示すように、外縁覆い部１１０の外表面に連結部１４０を２つまたは３つ設けて構成することもできる。これによれば、バッジホルダ１００は、連結部１４０がホルダ本体１０１の外周部に複数設けられているため、バッジホルダ１００を被装着体に対して種々の向きで取り付けることができるとともに複数のバッジホルダ１００同士を互いに連結して被装着体への取り付け形態のバリエーションを拡大することができる。また、複数のバッジホルダ１００を互いに連結する場合、各ホルダ本体１０１の色を同一の色や柄で構成してもよいが、互いに異なる色や柄で構成することによって装飾感が増して使用の楽しみを向上させることができる。
【００３９】
また、上記実施形態においては、ホルダ本体１０１は、平面視で円形に構成した。しかし、ホルダ本体１０１は、平面視で円形以外の形状、例えば、平面視で楕円形、星形、三角形や六角形などの多角形、各種キャラクタ、動植物（昆虫や魚も含む）、建物および日用品などの各種外観を単体でまたはこれらを適宜組み合わせた形状に成形して構成することもできる。したがって、ホルダ本体１０１は、例えば、図９に示すように、平面視でＴシャツの形に成形して構成することもできる。
【００４０】
また、上記実施形態においては、ホルダ本体１０１における裏面覆い部１３０の外表面は無地で構成されている。しかし、ホルダ本体１０１における裏面覆い部１３０の外表面に文字や図柄を形成することもできる。これによれば、バッジホルダ１００は、例えば、被装着体に対してぶら下げて取り付けた場合において、ホルダ本体１０１が裏返って裏面覆い部１３０の外表面が表側に向いた場合であっても裏面覆い部１３０の外表面に形成した文字や図柄で使用者を楽しませることができる。
【００４１】
また、バッジホルダ１００は、例えば、図１０（ａ），（ｂ）および図１１（ａ），（ｂ）にそれぞれ示すように、ホルダ本体１０１における裏面覆い部１３０の外表面に装飾体１６０を設けて構成することができる。この場合、装飾体１６０は、樹脂材、ゴム材、木材、セラミック材または金属材などの各種材料を立体形状（図１０および図１１においては板状）に形成するとともに、この立体形状の外表面に文字や図柄を形成して構成することができる。そして、この装飾体１６０は、ホルダ本体１０１と同一の材料で一体的に成形することができるとともに、ホルダ本体１０１に対して接着剤や留め具を用いて取り付けることができる。これによっても、バッジホルダ１００は、例えば、被装着体に対してぶら下げて取り付けた場合において、ホルダ本体１０１が裏返って裏面覆い部１３０の外表面が表側に向いた場合であっても裏面覆い部１３０の外表面に設けた装飾体１６０によって使用者を楽しませることができる。なお、図１０（ａ），（ｂ）に示す装飾体１６０は、ホルダ本体１０１における裏面覆い部１３０の裏面中央部１３１内に収まる大きさに形成されており、図１１（ａ），（ｂ）に示す装飾体１６０は、ホルダ本体１０１における裏面覆い部１３よりも大きな大きさに形成されている。
【符号の説明】
【００４２】
９０…缶バッジ、９１…シェル、９２…バックパーツ、９３…留め具、９４…隆起部、
１００…バッジホルダ、１０１…ホルダ本体、
１１０…外縁覆い部、１１１…外縁嵌合部、１１１ａ，１１１ｂ…挟持部、
１２０…延長部、
１３０…裏面覆い部、１３１…裏面中央部、１３２…裏面外縁部、
１４０…連結部、
１５０…連結具、
１６０…装飾体。
【図１】
2016064005.tif 000003
【図２】
2016064005.tif 000004
【図３】
2016064005.tif 000005
【図４】
2016064005.tif 000006
【図５】
2016064005.tif 000007
【図６】
2016064005.tif 000008
【図７】
2016064005.tif 000009
【図８】
2016064005.tif 000010
【図９】
2016064005.tif 000011
【図１０】
2016064005.tif 000012
【図１１】
2016064005.tif 000013
【図１２】
2016064005.tif 000014